(57)【特許請求の範囲】
【請求項１】
着用者からの排泄物を受ける使い捨ておむつであって、
着用者の前側を覆う前方被覆部、前記着用者の後側を覆う後方被覆部、並びに、前記前方被覆部および前記後方被覆部の間において前記着用者の股間部に対向する股下被覆部を有する略シート状の本体部と、
前記前方被覆部および前記後方被覆部のうち一方の被覆部の両側部に接合され、他方の被覆部の外面上に少なくとも一部が止着されることにより、前記着用者の腰周りの前記本体部による締め付けが行われる１対の第１止着シート部と、
前記一方の被覆部の前記両側部に接合され、前記他方の被覆部の前記外面上に少なくとも一部が止着されることにより、前記着用者の脚周りの前記本体部による締め付けが行われる１対の第２止着シート部と、
を備え、
前記両側部の近傍にて前記１対の第１止着シート部と前記１対の第２止着シート部とが重なることを特徴とする使い捨ておむつ。
【請求項２】
請求項１に記載の使い捨ておむつであって、
前記１対の第２止着シート部が、前記１対の第１止着シート部の外面に接することを特徴とする使い捨ておむつ。
【請求項３】
請求項２に記載の使い捨ておむつであって、
前記１対の第２止着シート部が、前記他方の被覆部の前記外面および前記１対の第１止着シート部の前記外面の双方に止着可能であることを特徴とする使い捨ておむつ。
【請求項４】
請求項１ないし３のいずれかに記載の使い捨ておむつであって、
前記１対の第１止着シート部が、
前記両側部の縁に沿って広がる第１根元部と、
前記第１根元部から側方に突出する第１突出部と、
を備え、
前記１対の第２止着シート部が、
前記両側部の縁に沿って広がり、前記第１根元部と重なる第２根元部と、
前記第２根元部から側方に突出するとともに下方にずれて前記第１突出部と重なる第２突出部と、
を備えることを特徴とする使い捨ておむつ。
【請求項５】
請求項４に記載の使い捨ておむつであって、
前記第１根元部および前記第２根元部が、前記一方の被覆部の前記両側部のほぼ上下全体に亘って広がることを特徴とする使い捨ておむつ。
【請求項６】
請求項４または５に記載の使い捨ておむつであって、
前記本体部が、
前記前方被覆部および前記後方被覆部の上端部の縁に沿って接合されるとともに収縮することにより腰周りギャザーを形成する腰周り弾性部材と、
前記股下被覆部の両側部の縁に沿って接合されるとともに収縮することにより脚周りギャザーを形成する脚周り弾性部材と、
を備え、
前記本体部および前記１対の第２止着シート部が広げられた状態において、前記第２突出部が、前記脚周り弾性部材の延長線上に位置し、前記腰周り弾性部材の延長線上に位置しないことを特徴とする使い捨ておむつ。
【発明の詳細な説明】
【技術分野】
【０００１】
本発明は、着用者からの排泄物を受ける使い捨ておむつに関する。
【背景技術】
【０００２】
従来より、着用者からの排泄物を受ける使い捨ておむつの１つとして、着用者の前側を覆う前方被覆部と後側を覆う後方被覆部とを腰周りで止着して装着するオープンタイプの使い捨ておむつが使用されている。例えば、特許文献１では、１対の１次ファスナーにてフロントウエスト領域（前方被覆部）とバックウエスト領域（後方被覆部）とを係合することにより、着用者のヒップ周りで着用される吸収性物品において、ウエスト領域を着用者の身体に一致させる２次ファスナーを設ける手法が提案されている。また、特許文献２では、後身頃（後方被覆部）の両側縁部のそれぞれに２つのファスニングテープを設け、一方を上端部近傍にておむつの幅方向に平行に配置し、他方を股下部の側縁に沿って配置することにより、使い捨ておむつにおいて、脚周りからの漏れ防止効果を向上する手法が開示されている。
【先行技術文献】
【特許文献】
【０００３】
【特許文献１】特表２００１−５１３３６４号公報
【特許文献２】特開２００２−９５６９３号公報
【発明の概要】
【発明が解決しようとする課題】
【０００４】
ところで、特許文献２の使い捨ておむつでは、後方被覆部の各側部において、２つのファスニングテープにより引っ張られる位置が同じシート上にて互いに近接していることにより、使い捨ておむつを着用した状態にて２つのファスニングテープの間の部位に皺が発生し、着用者において違和感が生じてしまう。また、各ファスニングテープによる締め付け程度の調整の自由度も低くなってしまう。後方被覆部の側部に切れ目を設けて（後述の図４の線９３参照）、２つのファスニングテープが取り付けられる部位を互いに分離することにより、皺の発生を防止するとともに、各ファスニングテープによる締め付け調整の自由度を向上して、着用者の腰周りおよび脚周りを適切に締め付けることも考えられるが、切れ目の先端にて孔が開いた状態となるため、排泄物が漏出する可能性がある。
【０００５】
本発明は上記課題に鑑みなされたものであり、着用者の腰周りおよび脚周りを適切に締め付けつつ、排泄物の漏出を防止することを目的としている。
【課題を解決するための手段】
【０００６】
請求項１に記載の発明は、着用者からの排泄物を受ける使い捨ておむつであって、着用者の前側を覆う前方被覆部、前記着用者の後側を覆う後方被覆部、並びに、前記前方被覆部および前記後方被覆部の間において前記着用者の股間部に対向する股下被覆部を有する略シート状の本体部と、前記前方被覆部および前記後方被覆部のうち一方の被覆部の両側部に接合され、他方の被覆部の外面上に少なくとも一部が止着されることにより、前記着用者の腰周りの前記本体部による締め付けが行われる１対の第１止着シート部と、前記一方の被覆部の前記両側部に接合され、前記他方の被覆部の前記外面上に少なくとも一部が止着されることにより、前記着用者の脚周りの前記本体部による締め付けが行われる１対の第２止着シート部とを備え、前記両側部の近傍にて前記１対の第１止着シート部と前記１対の第２止着シート部とが重なる。
【０００７】
請求項２に記載の発明は、請求項１に記載の使い捨ておむつであって、前記１対の第２止着シート部が、前記１対の第１止着シート部の外面に接する。
【０００８】
請求項３に記載の発明は、請求項２に記載の使い捨ておむつであって、前記１対の第２止着シート部が、前記他方の被覆部の前記外面および前記１対の第１止着シート部の前記外面の双方に止着可能である。
【０００９】
請求項４に記載の発明は、請求項１ないし３のいずれかに記載の使い捨ておむつであって、前記１対の第１止着シート部が、前記両側部の縁に沿って広がる第１根元部と、前記第１根元部から側方に突出する第１突出部とを備え、前記１対の第２止着シート部が、前記両側部の縁に沿って広がり、前記第１根元部と重なる第２根元部と、前記第２根元部から側方に突出するとともに下方にずれて前記第１突出部と重なる第２突出部とを備える。
【００１０】
請求項５に記載の発明は、請求項４に記載の使い捨ておむつであって、前記第１根元部および前記第２根元部が、前記一方の被覆部の前記両側部のほぼ上下全体に亘って広がる。
【００１１】
請求項６に記載の発明は、請求項４または５に記載の使い捨ておむつであって、前記本体部が、前記前方被覆部および前記後方被覆部の上端部の縁に沿って接合されるとともに収縮することにより腰周りギャザーを形成する腰周り弾性部材と、前記股下被覆部の両側部の縁に沿って接合されるとともに収縮することにより脚周りギャザーを形成する脚周り弾性部材とを備え、前記本体部および前記１対の第２止着シート部が広げられた状態において、前記第２突出部が、前記脚周り弾性部材の延長線上に位置し、前記腰周り弾性部材の延長線上に位置しない。
【発明の効果】
【００１２】
本発明によれば、着用者の腰周りおよび脚周りを適切に締め付けつつ、第１止着シート部と第２止着シート部との間からの排泄物の漏出を防止することができる。
【００１３】
また、請求項２の発明では、第１止着シート部の止着により本体部を着用者に装着した後に、第２止着シート部を止着して、着用者の脚周りの締め付けを容易に行うことができ、請求項４の発明では、第１止着シート部および第２止着シート部を本体部に強固に接合しつつ被覆部の両側部近傍からの排泄物の漏出をさらに防止することができ、請求項６の発明では、腰周りの締め付けに大きく影響を与えることなく、着用者の脚周りを堅固に締め付けることができる。
【図面の簡単な説明】
【００１４】
【図１】使い捨ておむつの外観を示す図である。
【図２】広げられた使い捨ておむつの平面図である。
【図３】使い捨ておむつの断面図である。
【図４】比較例の使い捨ておむつを示す図である。
【図５】使い捨ておむつの他の例を示す図である。
【図６】使い捨ておむつのさらに他の例を示す図である。
【図７】使い捨ておむつのさらに他の例を示す図である。
【図８】使い捨ておむつのさらに他の例を示す図である。
【発明を実施するための形態】
【００１５】
図１は、本発明の一の実施の形態に係る使い捨ておむつ１の外観を示す図である。着用者からの排泄物を受ける吸収性物品である使い捨ておむつ１は、着用者の前側に接する部位と後側に接する部位とを腰周りで止着して装着される。
【００１６】
図２は、オープンタイプの使い捨ておむつ１の広げた状態を示す平面図であり、図２では、使い捨ておむつ１の着用時に着用者側を向く面を示している。また、図３は、図２中の矢印Ａ−Ａの位置における使い捨ておむつ１の断面図であり、図２の縦方向（後述の長手方向）に垂直な面で切断した断面を示している。
【００１７】
図２に示すように、使い捨ておむつ１は略シート状の本体部２を備え、本体部２は、着用者の前側を覆う部位２０１（以下、「前方被覆部２０１」という。）、および、着用者の後側を覆う部位（以下、「後方被覆部２０３」という。）を有する。前方被覆部２０１と後方被覆部２０３との間には、前方被覆部２０１および後方被覆部２０３に連続するとともに着用者の股間部に対向する部位２０２（以下、「股下被覆部２０２」という。）が設けられる。股下被覆部２０２の幅（すなわち、図２中の横方向の幅）は、前方被覆部２０１および後方被覆部２０３の幅よりも小さくなっており、使い捨ておむつ１では、股下被覆部２０２の両側部に切欠き部が設けられていると捉えることができる。以下の説明では、前方被覆部２０１、股下被覆部２０２および後方被覆部２０３が並ぶ図２中の縦方向を長手方向と呼び、長手方向に垂直な図２中の横方向を幅方向と呼ぶ。
【００１８】
図２および図３に示すように、本体部２は、略シート状の吸収体である吸収コア２２、吸収コア２２の着用者側の主面を覆うトップシート２１、吸収コア２２のもう一方の主面（すなわち、２つの主面のうち着用者から遠い面）を覆うバックシート２３、および、長手方向におけるトップシート２１のほぼ全長に亘ってトップシート２１の幅方向の両側に配置される１対のサイドシート２４を備える。図２では、トップシート２１およびサイドシート２４を部分的に削除して吸収コア２２の一部分を示しており、当該部分に平行斜線を付している。
【００１９】
図３に示すように、吸収コア２２は、バックシート２３の着用者側の面に塗布されたホットメルト接着剤を介してバックシート２３に接着されており、トップシート２１は、吸収コア２２の周りにおいてホットメルト接着剤を介してバックシート２３に接着されている。また、サイドシート２４は、バックシート２３のトップシート２１から露出する部位、および、トップシート２１の両側部（幅方向の両端部）にホットメルト接着剤を介して接着される。これらのホットメルト接着剤としては、ポリオレフィン系、ゴム系、酢酸ビニル系等のものが利用される。図３では、図の理解を容易にするために、実際には接合している構成間を僅かに離間させている。
【００２０】
図２に示す本体部２の長手方向の両端部では、各サイドシート２４の幅方向の内側の部位（すなわち、１対のサイドシート２４の互いに近接する部位）がホットメルト接着剤を介してトップシート２１の着用者側の面に接合される。なお、サイドシート２４とトップシート２１との接合は、ヒートシールや超音波接合等により行われてもよい。
【００２１】
各サイドシート２４の幅方向の内側の部分では、長手方向の両端部の間の部位２４１が、トップシート２１（および他の構成）とは非接合とされており、当該部位２４１（以下、「非接合部２４１」という。）の幅方向の内縁部には、長手方向に伸びる弾性部材２５１が接合される。弾性部材２５１は、使い捨ておむつ１が広げられた状態では伸張状態となっており、弾性部材２５１が収縮することにより、図３に示すように、サイドシート２４の非接合部２４１が着用者側に向かって立ち上がり、着用者の脚の付け根近傍に当接する側壁部（いわゆる、立体ギャザー）となる。
【００２２】
また、図２に示すように、股下被覆部２０２の両側部（外縁近傍の部位）のそれぞれには、側縁に沿って伸びる２本の弾性部材２５２（着用者に着用された状態にて、着用者の脚周りに配置されるため、以下、「脚周り弾性部材２５２」という。）が、サイドシート２４とバックシート２３とに挟まれて接合される。図１ないし図３では、股下被覆部２０２の各側部において１本の脚周り弾性部材のみに符号２５２を付している（後述の腰周り弾性部材２５３において同様）。脚周り弾性部材２５２は、使い捨ておむつ１が広げられた状態では伸張状態となっており、脚周り弾性部材２５２が収縮することにより、サイドシート２４およびバックシート２３が着用者側かつ内側に向かって立ち上がって脚周りギャザー（レッグギャザーとも呼ばれる。）が形成され、使い捨ておむつ１の着用時に着用者の足の付け根近傍に密着する。実際には、脚周り弾性部材２５２は、本体部２の側縁に沿って前方被覆部２０１および後方被覆部２０３の側部近傍まで伸びている。
【００２３】
さらに、図１に示すように、前方被覆部２０１および後方被覆部２０３のそれぞれには、上端部の縁（使い捨ておむつ１が着用者に着用された状態における上端部の縁であり、図２の本体部２の長手方向の両端部の縁）に沿って伸びる３本の弾性部材２５３（着用者に着用された状態にて、着用者の腰周りに配置されるため、以下、「腰周り弾性部材２５３」という。）が設けられる。腰周り弾性部材２５３は、伸張状態にてトップシート２１とバックシート２３とに挟まれて接合されており、腰周り弾性部材２５３が収縮することにより腰周りギャザー（ウエストギャザーとも呼ばれる）が形成され、使い捨ておむつ１の着用時に着用者の腰周りに密着する。使い捨ておむつ１では、弾性部材２５１〜２５３により本体部２が着用者に密着することにより、脚周り、股間部、腰周りからの尿等の漏出が防止される。
【００２４】
図３のトップシート２１は透液性の材料、例えば、親水性繊維により形成された不織布であり、着用者からの排泄物の水分を速やかに捕捉して吸収コア２２へと移動させる。トップシート２１として利用される不織布は、例えば、ポイントボンド不織布やエアスルー不織布、スパンボンド不織布であり、これらの不織布を形成する親水性繊維としては通常、セルロースやレーヨン、コットン等が用いられる。なお、トップシート２１として、表面を界面活性剤により親水処理した疎水性繊維（例えば、ポリプロピレン、ポリエチレン、ポリエステル、ポリアミド、ナイロン）にて形成された透液性の不織布が利用されてもよく、また、開孔を有するプラスチックフィルムが利用されてもよい。
【００２５】
吸収コア２２は、親水性繊維（例えば、粉砕したパルプ繊維やセルロース繊維）に粒状の吸水性ポリマー（例えば、ＳＡＰ(Super Absorbent Polymer)）を混合したものをティッシュペーパーや透液性不織布等の被覆シートにより包み込んで形成され、トップシート２１を透過した水分を吸収して迅速に固定する。親水性繊維を包む被覆シートは、親水性繊維および吸水性ポリマーとホットメルト接着剤により接合されて、親水性繊維の型崩れ、および、吸水性ポリマーの脱落（特に、吸水後における脱落）を防止する。
【００２６】
バックシート２３は、撥水性または不透液性のプラスチックフィルムの外側（すなわち、吸収コア２２とは反対側）に不織布が積層された積層シートであり、トップシート２１を透過した水分、および、吸収コア２２に一旦吸収された水分が、バックシート２３の外側にしみ出すことを防止する。着用者の快適性の観点からは、プラスチックフィルムとして通気性を有するものが利用されることが好ましい。バックシート２３に利用される不織布は、例えば、スパンボンド不織布やメルトブロー不織布、ＳＭＳ（スパンボンド・メルトブロー・スパンボンド）不織布であり、必要に応じて撥水処理が施されてもよい。なお、バックシート２３としては、撥水性または不透液性の不織布やプラスチックフィルムが単体にて利用されてもよい。
【００２７】
サイドシート２４は、撥水性または不透液性の不織布（例えば、スパンボンド不織布やメルトブロー不織布、ＳＭＳ不織布）やプラスチックフィルム、あるいは、これらの複合材料により形成される。使い捨ておむつ１の快適性向上の観点からは、側壁部を形成するサイドシート２４は、通気性を有することが好ましい。
【００２８】
図２の弾性部材２５１〜２５３としては、例えば、ポリウレタン糸、帯状のポリウレタンフィルム、糸状または帯状の天然ゴム等が用いられ、ホットメルト接着剤、超音波接合、ヒートシール等によりバックシート２３等に接合される。好ましくは、繊度１００〜２５００デシテックスのポリウレタン糸が弾性部材２５１〜２５３として用いられ、１．１〜５．０倍に伸張された状態でゴム系のホットメルト接着剤によりバックシート２３等に接合される。
【００２９】
図２に示すように、使い捨ておむつ１は、本体部２の後方被覆部２０３の両側部（すなわち、幅方向の両端部）にそれぞれ設けられる１対の第１止着シート部４、および、１対の第１止着シート部４に重ねて後方被覆部２０３の両側部にそれぞれ設けられる１対の第２止着シート部５をさらに備える。図１に示すように、使い捨ておむつ１では、各第１止着シート部４が前方被覆部２０１の外面（すなわち、着用者に着用された状態において外側を向く面）上に止着されることにより、着用者の腰周りの本体部２による締め付けが行われ、各第２止着シート部５が前方被覆部２０１の外面上に止着されることにより、着用者の脚周りの本体部２による締め付けが行われる。第１止着シート部４および第２止着シート部５の本体は、例えば各種製法にて作製された不織布（もちろん、他の材料であってもよい。）にて形成され、好ましくは、上記バックシート２３にて例示した撥水性または不透液性の材料が用いられる。
【００３０】
図１および図２に示すように、各第１止着シート部４は、後方被覆部２０３の側部近傍において当該側部の縁に沿って広がる第１根元部４２、および、第１根元部４２から側方に突出する第１突出部４１を有する。第１突出部４１は、第１根元部４２の上部（着用者に着用された状態を示す図１の使い捨ておむつ１における胴周り開口３１側の部位であり、図２では下側の部位）に設けられることにより、第１突出部４１を引っ張った際に、第１止着シート部４により脚周りよりも腰周りが強く締め付けられることとなる。
【００３１】
また、第１突出部４１の先端には山型のつまみ部４１１が設けられ、つまみ部４１１の内面（すなわち、２つの主面のうち着用者に着用された状態において着用者側を向く面）にはフック部材４１２が設けられる。フック部材４１２は、鉤状や錨状、マッシュルーム状等の微細な多数のフック要素を有する微細フック構造が、一方の面に形成された面ファスナであり、他方の面がつまみ部４１１に接合される。図２では、フック部材４１２に平行斜線を付している（後述のフック部材５１２において同様）。
【００３２】
第１止着シート部４では、第１根元部４２が後方被覆部２０３の側部のほぼ上下全体に亘って広がっており、つまみ部４１１とは反対側の端部（すなわち、図２中にて符号４３を付す部位であり、以下、「取付部４３」という。図２では、右側の第１止着シート部４の取付部のみに符号を付しており、後述の取付部５３において同様である。）が第１根元部４２を延長した形状となっている。取付部４３は、本体部２のサイドシート２４とバックシート２３との間に挟まれており、第１止着シート部４は、取付部４３においてサイドシート２４およびバックシート２３にホットメルト接着剤を介して接合される。なお、第１止着シート部４とサイドシート２４およびバックシート２３との接合は、ヒートシールや超音波接合等により行われてもよい（第２止着シート部５において同様）。
【００３３】
図１および図２に示すように、各第２止着シート部５は、後方被覆部２０３の側部近傍において当該側部の縁に沿って広がり、第１根元部４２と重なる第２根元部５２、および、第２根元部５２から側方に突出するとともに下方（股下被覆部２０２側）にずれて第１突出部４１と重なる第２突出部５１を有する。第２突出部５１は、当該側部のほぼ上下全体に亘って広がる第２根元部５２の下部（着用者に着用された状態を示す図１の使い捨ておむつ１における脚周り開口３２側の部位）に設けられることにより、第２突出部５１を引っ張った際に、第２止着シート部５により腰周りよりも脚周りが強く締め付けられることとなる。
【００３４】
以上のように、使い捨ておむつ１では、後方被覆部２０３の両側部において１対の第２止着シート部５により引張力が付与される位置が、１対の第１止着シート部４により引張力が付与される位置よりも股下被覆部２０２に近くなっており、第１突出部４１および第２突出部５１を同じ力で引っ張った場合に、第１止着シート部４による腰周りの締め付け力が、第２止着シート部５による腰周りの締め付け力よりも大きくなり、第２止着シート部５による脚周りの締め付け力が、第１止着シート部４による脚周りの締め付け力よりも大きくなる。
【００３５】
第２突出部５１の先端には山型のつまみ部５１１が設けられ、つまみ部５１１の内面にはフック部材４１２と同様の構造のフック部材５１２が設けられる。また、第２止着シート部５では、つまみ部５１１とは反対側の端部（すなわち、図２中にて符号５３を付す部位であり、以下、「取付部５３」という。）が第２根元部５２を延長した形状となっている。取付部５３は、本体部２のサイドシート２４とバックシート２３との間に挟まれており、第２止着シート部５は、取付部５３においてサイドシート２４およびバックシート２３にホットメルト接着剤を介して接合される。
【００３６】
図２に示すように、本体部２、１対の第１止着シート部４、および、１対の第２止着シート部５が広げられた状態において、第２止着シート部５の第２突出部５１が第２根元部５２と接続する部分（図２中にて符号５４を付す部分であり、以下、「境界部５４」という。）が、脚周り弾性部材２５２を延長した線（すなわち、後方被覆部２０３上における脚周り弾性部材２５２の端部近傍にて脚周り弾性部材２５２が伸びる方向に当該端部から伸ばした線）上に配置される。なお、図２では、左側の第２止着シート部５の境界部のみに符号５４を付している（後述の境界部４４において同様）。
【００３７】
第１止着シート部４の第１突出部４１が第１根元部４２と接続する部分（図２中にて符号４４を付す部分であり、以下、「境界部４４」という。）は、腰周り弾性部材２５３を延長した線の近傍に配置される。また、第２止着シート部５の境界部５４は、腰周り弾性部材２５３を延長した線から離れており、第１止着シート部４の境界部４４は、脚周り弾性部材２５２を延長した線から離れている。使い捨ておむつ１では、第１突出部４１および第２突出部５１を引っ張ることにより、境界部４４，５４にて第１根元部４２および第２根元部５２から離れる方向に引張力が作用するため、腰周り弾性部材２５３の伸縮量は、主として１対の第１止着シート部４により調整され、脚周り弾性部材２５２の伸縮量は主として１対の第２止着シート部５により調整される。
【００３８】
未使用の使い捨ておむつ１では、各止着シート部４，５のつまみ部４１１，５１１が折り返された状態で、フック部材４１２，５１２が当該止着シート部４，５の他の領域上に仮係合されている。そして、使い捨ておむつ１を使用する際に、各止着シート部４，５において、つまみ部４１１，５１１の先端等が使用者により摘まれてつまみ部４１１，５１１が引っ張られることにより、フック部材４１２，５１２が止着シート部４，５から引き剥がされ（すなわち、フック部材４１２，５１２の仮係合が解除され）、図２の止着シート部４，５に示すように、つまみ部４１１，５１１が伸ばされた状態とされる。
【００３９】
図１および図２に示すように、前方被覆部２０１の外面には、幅方向に長い矩形のフロンタルテープ２６が設けられる。フロンタルテープ２６は、一方の面に微細な多数のループ要素を有する微細ループ構造が形成された不織布や織布、編み物等、あるいは、これらの材料とプラスチックフィルムとが積層された複合材料であり、他方の面が前方被覆部２０１に接合されている。本実施の形態では、合成繊維により形成された微細ループ構造を有する編み物とプラスチックフィルムとが積層された複合材料が、フロンタルテープ２６として利用される。
【００４０】
使い捨ておむつ１の着用者への装着時には、図２に示す本体部２の前方被覆部２０１および後方被覆部２０３を着用者の前側および後側にそれぞれ当接させ、第２止着シート部５の内側に配置される１対の第１止着シート部４のフック部材４１２を、図１に示すように、前方被覆部２０１に設けられたフロンタルテープ２６に止着することにより、着用者の腰周りの本体部２による締め付けが行われる。このとき、第１止着シート部４が幅方向にある程度の伸縮性を有していることにより、着用者の腰周りを堅固に締め付けることが可能となる（第２止着シート部５において同様）。続いて、１対の第２止着シート部５の内面をそれぞれ１対の第１止着シート部４の外面に部分的に当接させつつ、フック部材５１２をフロンタルテープ２６に止着することにより、着用者の脚周りの本体部２による締め付けが行われ、使い捨ておむつ１の着用者への装着が完了する。
【００４１】
使い捨ておむつ１の装着において、各第２止着シート部５を脚周り弾性部材２５２の延長線方向に引っ張って本体部２による脚周りの締め付け力を強くすることも考えられ、この場合に、仮にフック部材５１２の位置が第１止着シート部４に重なったとしても、使い捨ておむつ１では、フック部材５１２を不織布により形成される第１止着シート部４の外面に止着することが可能となっている。このように、使い捨ておむつ１では、１対の第２止着シート部５が、前方被覆部２０１の外面であるフロンタルテープ２６、および、１対の第１止着シート部４の外面の双方に止着可能であるため、脚周りの締め付けの程度が柔軟に調整可能とされる。
【００４２】
実際には、第１止着シート部４はフロンタルテープ２６と着脱自在とされ、第２止着シート部５も、第１止着シート部４の外面およびフロンタルテープ２６と着脱自在とされているため、着用者の腰周りおよび脚周りの本体部２による締め付けの程度を繰り返し調整することが可能となっている。なお、前方被覆部２０１の外面に止着された第１止着シート部４上に第２止着シート部５を止着する場合も、実質的には、第２止着シート部５が前方被覆部２０１の外面上に止着されていると捉えることができる。使い捨ておむつ１では、第１止着シート部４および第２止着シート部５が不織布により形成されているため、着用者の腰周りにおける通気性が向上し、使い捨ておむつ１の快適性が向上される。
【００４３】
ここで、特開２００２−９５６９３号公報（特許文献２）の使い捨ておむつと同様の構造を有する比較例の使い捨ておむつについて述べる。図４は比較例の使い捨ておむつ９の後方被覆部９１の側部近傍を示す図である。図４の使い捨ておむつ９では、後方被覆部９１の側部に設けられる一方のファスニングテープ９１１を前方被覆部の外面に止着することにより、着用者の腰周りの本体部による締め付けが可能となる。また、股下被覆部９２から後方被覆部９１へと至る部分の側縁に沿って伸びるように、後方被覆部９１の側部に配置される他方のファスニングテープ９１２を前方被覆部の外面に止着することにより、着用者の脚周りの本体部による締め付けが可能となる。
【００４４】
しかしながら、比較例の使い捨ておむつ９では、後方被覆部９１の側部において、２つのファスニングテープ９１１，９１２により引っ張られる位置が、同じシート上にて互いに近接していることにより、使い捨ておむつ９を着用した状態にて２つのファスニングテープ９１１，９１２の間の部位に皺が発生して着用者において違和感が生じるとともに、各ファスニングテープ９１１，９１２による締め付け調整の自由度も低くなってしまう。図４中に符号９３を付す二点鎖線にて示すように、後方被覆部９１の側部に切れ目を設けて２つのファスニングテープ９１１，９１２が取り付けられる部位を互いに分離することにより、皺の発生を防止するとともに、各ファスニングテープ９１１，９１２による締め付け調整の自由度を向上して、着用者の腰周りおよび脚周りを適切に締め付けることも可能であるが、切れ目の先端（図４中にて符号９３１を付す点にて示す。）にて孔が開いた状態となるため、排泄物が漏出する可能性がある。
【００４５】
これに対し、図２の使い捨ておむつ１では、後方被覆部２０３の両側部近傍にて、着用者の腰周りを締め付けるための１対の第１止着シート部４と、着用者の脚周りを締め付けるための１対の第２止着シート部５とが重なり、止着シート部の２重構造が形成される。これにより、着用者の腰周りおよび脚周りを適切に締め付けつつ、第１止着シート部４と第２止着シート部５との間からの排泄物の漏出を防止することができる。
【００４６】
また、使い捨ておむつ１では、１対の第２止着シート部５が１対の第１止着シート部４の外面に接することにより、使い捨ておむつ１の装着の際に、第１止着シート部４の止着により本体部２を着用者に装着した後に、第２止着シート部５を止着して、着用者の脚周りの締め付けを容易に行うことができる。また、第２止着シート部５のフック部材５１２がフロンタルテープ２６上に止着される場合には、第１止着シート部４の止着が意図せずに解除されることを、第２止着シート部５により抑制することができる。
【００４７】
さらに、後方被覆部２０３の両側部に接合される１対の第１止着シート部４が、両側部近傍において長手方向に広がる第１根元部４２を有し、後方被覆部２０３の両側部に接合される１対の第２止着シート部５も、両側部近傍において長手方向に広がる第２根元部５２を有することにより、第１止着シート部４および第２止着シート部５を本体部２に強固に接合しつつ後方被覆部２０３の両側部近傍からの排泄物の漏出をさらに防止することができる。
【００４８】
使い捨ておむつ１では、本体部２および１対の第２止着シート部５が広げられた状態において、第２止着シート部５の第２突出部５１が、脚周り弾性部材２５２の延長線上に位置し、腰周り弾性部材２５３の延長線上に位置しないことにより、腰周りの締め付けに大きく影響を与えることなく、着用者の脚周りを堅固に締め付けることが可能となる。
【００４９】
上記形態は、様々な変形が可能である。
【００５０】
図２の使い捨ておむつ１では、第２止着シート部５の境界部５４が、第１止着シート部４の境界部４４よりも幅方向の内側（後方被覆部２０３側）に配置されることにより、着用者の脚周りの締め付けの調整が容易となるが、使い捨ておむつ１の設計によっては、図５に示すように、第１止着シート部４の境界部４４が、第２止着シート部５の境界部５４よりも内側に配置されてもよく、さらに、図６に示すように、第１止着シート部４の境界部４４が、第２止着シート部５の境界部５４と幅方向の同位置に配置されてもよい。
【００５１】
また、図２の使い捨ておむつ１では、第１突出部４１および第２突出部５１が長手方向にずれた状態にて、第１根元部４２および第２根元部５２から幅方向にそれぞれ突出することにより、第１突出部４１および第２突出部５１のそれぞれの引張量にかかわらず、第１止着シート部４および第２止着シート部５を前方被覆部２０１の外面上に確実に止着することが可能となるが、例えば、図７に示すように、第２突出部５１ａが脚周り弾性部材２５２を延長した方向に第２根元部５２ａから突出するように、第２止着シート部５ａを設けることも可能である。この場合、着用者の脚周りの締め付けをより容易に行うことができる。
【００５２】
さらに、図８に示すように、第１止着シート部４ｂおよび第２止着シート部５ｂのそれぞれにおいて、第１根元部４２および第２根元部５２が省略されてもよい。この場合でも、後方被覆部２０３の両端部の近傍において、第１止着シート部４ｂの第１突出部４１ｂの下部（図８中の上側の部位）と、第２止着シート部５ｂの第２突出部５１ｂの上部（図８中の下側の部位）とが重なっていることにより、着用者の腰周りおよび脚周りを適切に締め付けつつ、第１止着シート部４ｂと第２止着シート部５ｂとの間からの排泄物の漏出を防止することができる。
【００５３】
使い捨ておむつ１では、前方被覆部２０１の各側部に第１止着シート部４および第２止着シート部５が設けられ、第１止着シート部４および第２止着シート部５が後方被覆部２０３の外面上に止着されて使い捨ておむつが着用者に装着されてもよい。このように、使い捨ておむつ１では、着用者の前側に接する前方被覆部２０１、および、後側に接する後方被覆部２０３のうち一方の被覆部の各側部に、他方の被覆部の外面上に止着される第１止着シート部４および第２止着シート部５が設けられる。
【００５４】
図１の使い捨ておむつ１では、第１止着シート部４の一部、および、第２止着シート部５の一部（すなわち、フック部材４１２，５１２）が前方被覆部２０１の外面に止着されるが、例えば、フロンタルテープ２６、並びに、フック部材４１２，５１２を省略するとともに前方被覆部２０１の外面の全体にフック部材が設けられることにより、不織布にて形成される（または、内面全体にフロンタルテープ２６と同じ部材が設けられる）第１止着シート部４のおよそ全体が前方被覆部２０１の外面に止着されてもよい。また、第１止着シート部４の内側（着用者側）に第２止着シート部５が配置されてもよく、この場合に、不織布にて形成される第２止着シート部５のおよそ全体が前方被覆部２０１の外面に止着されてもよい。このように、使い捨ておむつでは、第１止着シート部４の少なくとも一部、および、第２止着シート部５の少なくとも一部が前方被覆部２０１の外面に止着されることにより、着用者の腰周りおよび脚周りの本体部２による締め付けが可能となる。なお、第１止着シート部４の内側に第２止着シート部５が配置される場合には、第２止着シート部５を前方被覆部２０１の外面に止着して着用者の脚周りを本体部２により締め付けた後、第１止着シート部４が前方被覆部２０１の外面に止着され、着用者の腰周りの締め付けが行われる。
【００５５】
また、使い捨ておむつ１では、前方被覆部２０１において、不織布の面である外面が第１止着シート部４および第２止着シート部５のフック部材４１２，５１２と十分な係合力にて係合可能とされるのであれば、フロンタルテープ２６を省略して、使い捨ておむつの製造コストが削減されてもよい。さらに、第１止着シート部４および第２止着シート部５の内面と前方被覆部２０１の外面との止着は、一方に粘着シールを設け、他方にプラスチック等のフィルムを設けることにより、着脱自在な状態にて実現されてもよい。もちろん、使い捨ておむつの設計によっては、粘着シールを用いる場合に使い捨ておむつの製造コストを削減するために、他方の部材にてフィルムを省略し、第１止着シート部４および第２止着シート部５と前方被覆部２０１の外面との着脱の（多数回の）繰り返しが不能とされてもよい。
【００５６】
図２の使い捨ておむつ１では、第１止着シート部４および第２止着シート部５が本体部２とは別部材として設けられるが、第１止着シート部４をサイドシート２４の一部として形成し、第２止着シート部５をバックシート２３の一部として形成して、第１止着シート部４および第２止着シート部５が本体部２と一体的に形成されてもよい。また、第１止着シート部４と第２止着シート部５とは互いに異なる材料にて形成されてもよく、この場合に、一方が伸縮性を有する材料にて形成され、他方が伸縮性を有しない材料にて形成されてもよい。
【符号の説明】
【００５７】
１    使い捨ておむつ
２    本体部
４，４ｂ    第１止着シート部
５，５ａ，５ｂ    第２止着シート部
４１，４１ｂ    第１突出部
４２    第１根元部
５１，５１ａ，５１ｂ    第２突出部
５２，５２ａ    第２根元部
２０１    前方被覆部
２０２    股下被覆部
２０３    後方被覆部
２５２    脚周り弾性部材
２５３    腰周り弾性部材
【図１】
0005415844.tif 000002
【図２】
0005415844.tif 000003
【図３】
0005415844.tif 000004
【図４】
0005415844.tif 000005
【図５】
0005415844.tif 000006
【図６】
0005415844.tif 000007
【図７】
0005415844.tif 000008
【図８】
0005415844.tif 000009